(57)【要約】【課題】デザインや材料に左右されず、使用者がもたれたとしても便蓋が壊れることを防止できる便座装置を提供する。【解決手段】便蓋４は、便座３の上部を閉塞する便蓋本体と、便蓋本体の幅方向の端部に取り付けられて本体部に設けられた第１軸部（軸部）２４に着脱可能な第１軸係合部（軸係合部）４２と、を有し、本体部は、開いた状態の便蓋４の第１取り付け上板部４１４の内側端部４１４ｂ（幅方向の中間部）に後側から当接する第２ケース縁部２６２の内側端部２６２ｂ（便蓋支持部）を有し、開いた状態の便蓋４の第１取り付け上板部４１４の内側端部４１４ｂが第２ケース縁部２６２の内側端部２６２ｂと当接し、第１取り付け上板部４１４の外側端部４１４ａ（幅方向の端部）が内側端部４１４ｂよりも後側に位置するように撓むと、第１軸係合部４２が第１軸部２４から外れる。【選択図】図２２
2019170460.tif 000002
【特許請求の範囲】
【請求項１】
便器の後方上部に設置される本体部と、
前記本体部に取り付けられる便座と、
前記便座の上部を開閉する便蓋と、を有する便座装置において、
前記便蓋は、前記便座の上部を閉塞する便蓋本体と、
前記便蓋本体の幅方向の端部に取り付けられて前記本体部に設けられた軸部に着脱可能な軸係合部と、を有し、
前記本体部は、開いた状態の前記便蓋の幅方向の中間部に後側から当接する便蓋支持部を有し、
開いた状態の前記便蓋における幅方向の中間部が前記便蓋支持部と当接し、幅方向の端部が幅方向の中間部よりも後側に位置するように撓むと、前記軸係合部が前記軸部から外れることを特徴とする便座装置。
【請求項２】
前記軸係合部は、前記軸部に係合した係合状態と、前記軸部との係合が解除された非係合状態とを切り替え可能に構成され、
下側に開口し下側から前記軸部を出し入れするとともに前記軸部を収容可能な凹部と、
移動可能に構成され、可動方向の一方側に移動すると前記凹部の下側を塞いで前記係合状態となり、前記可動方向の他方側に移動すると前記凹部の下側を開口して前記非係合状態となる可動部と、を有し、
前記可動部は、前記凹部に収容された軸部が接触可能な接触部を有し、
開いた状態の前記便蓋が幅方向の中間部が前記便蓋支持部と当接し、幅方向の端部が幅方向の中間部よりも後側に位置するように撓むと、前記接触部に前記可動方向の一方側から前記軸部が接触するように構成されている請求項１に記載の便座装置。
【請求項３】
前記軸係合部は、前記便蓋支持部よりも幅方向の外側に配置されている請求項１又は２に記載の便座装置。
【発明の詳細な説明】
【技術分野】
【０００１】
本発明は、便座装置に関する。
【背景技術】
【０００２】
便器に設けられ、便座の上方を開閉する便蓋を有する便座装置が知られている（例えば、特許文献１および２参照）。便蓋は、便器の後方上部に設置された本体部に支持され、本体部に対して着脱可能に構成されている。
一般に、便蓋は便座に着座した使用者が背もたれとして使用するように想定されていないが、使用者が背もたれのように便蓋にもたれてしまい、便蓋に負荷がかかることがある。
このため、便蓋を使用者がもたれても壊れないような強度にしたり、使用者がもたれることができないように便蓋を後方に配置したりする対策が取られている。
【先行技術文献】
【特許文献】
【０００３】
【特許文献１】特開２０１７−１２４１１６号公報
【特許文献２】特開２００７−１１１１８９号公報
【発明の概要】
【発明が解決しようとする課題】
【０００４】
しかしながら、便蓋の材料や便蓋の形状を優先すると便蓋を使用者がもたれても壊れないような強度にすることができないことがある。また、便蓋を本体部から外れやすい構造とすると、掃除など、使用者がもたれる場合以外であっても負荷がかかると便蓋が本体部から外れてしまう虞がある。また、便蓋の位置を後方に設けることは、デザインや形状的に不可能な場合もある。
【０００５】
そこで、本発明は、デザインや材料に左右されず、使用者がもたれたとしても便蓋が壊れることを防止できる便座装置を提供することを目的とする。
【課題を解決するための手段】
【０００６】
上記目的を達成するため、本発明に係る便座装置は、便器の後方上部に設置された本体部と、前記本体部に取り付けられた便座と、前記便座の上部を開閉する便蓋と、を有する便座装置において、前記便蓋は、前記便座の上部を閉塞する便蓋本体と、前記便蓋本体の幅方向の端部に取り付けられて前記本体部に設けられた軸部に着脱可能な軸係合部と、を有し、前記本体部は、開いた状態の前記便蓋の幅方向の中間部に後側から当接する便蓋支持部を有し、開いた状態の前記便蓋における幅方向の中間部が前記便蓋支持部と当接し、幅方向の端部が幅方向の中間部よりも後側に位置するように撓むと、前記軸係合部が前記軸部から外れることを特徴とする。
【０００７】
開いた状態の便蓋に便座に着座した使用者がもたれると、便蓋が便蓋支持部と当接して、幅方向の端部側が幅方向の中間部（便蓋支持部と当接している部分）よりも後側に位置するように撓むことになる。本発明では、便蓋が上記のように撓むと軸係合部が軸部から外れるため、便蓋を本体部から外れた状態とすることができる。このように、本発明では、使用者がもたれて便蓋に負荷がかかっても便蓋が壊れることを防止できる。また、便蓋は撓むことで本体部から外れるため、デザインや材料に左右されず、使用者がもたれた場合に本体部から外れる構成とすることができる。
また、便蓋は、幅方向の端部側が幅方向の中間部よりも後側に位置するように撓むことで軸係合部が軸部から外れるため、例えば、便蓋をその面に沿って拭くなどの掃除をする場合には、便蓋が上記のように撓むことがないため、便蓋が本体部から外れる虞がない。
【０００８】
また、本発明に係る便座装置では、前記軸係合部は、前記軸部に係合した係合状態と、前記軸部との係合が解除された非係合状態とを切り替え可能に構成され、下側に開口し下側から前記軸部を出し入れするとともに前記軸部を収容可能な凹部と、移動可能に構成され、可動方向の一方側に移動すると前記凹部の下側を塞いで前記係合状態となり、前記可動方向の他方側に移動すると前記凹部の下側を開口して前記非係合状態となる可動部と、を有し、前記可動部は、前記凹部に収容された軸部が接触可能な接触部を有し、開いた状態の前記便蓋が幅方向の中間部が前記便蓋支持部と当接し、幅方向の端部が幅方向の中間部よりも後側に位置するように撓むと、前記接触部に前記可動方向の一方側から前記軸部が接触するように構成されていてもよい。
【０００９】
このように、開いた状態の便蓋が幅方向の中間部が便蓋支持部と当接し、幅方向の端部が幅方向の中間部よりも後側に位置するように撓むと、接触部に可動方向の一方側から軸部が当接することにより、可動部が可動方向の他方側に押されて非係合状態となる。これにより、凹部が開口されるため、軸部が凹部から外れ、便蓋を本体部から外れた状態とすることができる。
【００１０】
また、本発明に係る便座装置では、前記軸係合部は、前記便蓋支持部よりも幅方向の外側に配置されていてもよい。
このような構成とすることにより、便蓋における軸係合部が設けられている部分が確実に後側に位置するように便蓋を撓ませることができる。これにより、便蓋に使用者がもたれかかり上記のように便蓋が撓んだ場合に、便蓋が本体部から外れやすい構造とすることができる。
便蓋における幅方向の外側とは、便蓋の幅方向の中央部に対する端部側を示している。
【発明の効果】
【００１１】
本発明によれば、デザインや材料に左右されず、使用者がもたれた場合に便蓋が壊れることを防止することができる。
【図面の簡単な説明】
【００１２】
【図１】本発明の実施形態による便座装置の一例を示す斜視図である。
【図２】便蓋を外した状態の便座装置の一部を示す平面図である。
【図３】図２のＡ方向斜視図である。
【図４】図２のＢ方向斜視図である。
【図５】便蓋の斜視図である。
【図６】図１のＣ−Ｃ線断面図である。
【図７】図５のＤ−Ｄ線断面図である。
【図８】第１軸係合部の斜視図である。
【図９】図７から可動部を外した図である。
【図１０】図８から可動部を外した図である。
【図１１】可動部を幅方向から見た図である。
【図１２】可動部を幅方向の一方側から見た斜視図である。
【図１３】非係合状態の第１軸係合部を示す図である。
【図１４】図５のＥ−Ｅ線断面図である。
【図１５】第１軸係合部に第１軸部を係合させる様子を説明する図である。
【図１６】図１５に続く第１軸係合部に第１軸部を係合させる様子を説明する図である。
【図１７】便蓋に使用者がもたれた場合の第１軸係合部を説明する図である。する図である。
【図１８】便蓋が外れる様子を説明するための便座装置の図で図１のＣ−Ｃ線断面に対応する図である。
【図１９】図１８に対応する便座装置の側面図である。
【図２０】図１８に続く便蓋が外れる様子を説明するための便座装置の図で図１のＣ−Ｃ線断面に対応する図である。
【図２１】図２０に対応する便座装置の側面図である。
【図２２】図２０に続く便蓋が外れる様子を説明するための便座装置の図で図１のＣ−Ｃ線断面に対応する図である。
【図２３】図２２に対応する便座装置の側面図である。
【発明を実施するための形態】
【００１３】
以下、本発明の実施形態による便座装置１について、図１−図２３に基づいて説明する。
図１に示すように、実施形態による便座装置１は、便器１１の便器本体１２の上に設置されている。便座装置１は、便器本体１２の後方上部に設置された本体部２と、本体部２に回動可能に取り付けられた便座３と、本体部２に回動可能に取り付けられて便座３の上部を開閉する便蓋４と、を有している。
【００１４】
以下では、便器１１に対して便器１１を使用する使用者がいる側を前後方向の前側、使用者に対して便器１１がある側を前後方向の後側とし、前後方向に直交する水平方向を幅方向として説明する。幅方向について、幅方向の中央に対する幅方向の両端部それぞれが位置する側を幅方向の外側とし、幅方向の両端部それぞれに対する幅方向の中央が位置する側を幅方向の内側とする。
また、便蓋４が立ち上がり便座３から離間した状態を便蓋４が開いた状態とし、便蓋４が横臥し便座３と重なった状態を便蓋４が閉じた状態とする。
【００１５】
図１−図４に示すように、本体部２は、各種機能を有する機能部２１と、機能部２１を収容するケース２２と、を有している。
機能部２１とは、便座を回動させるための便座回動ユニット、便蓋を回動させるための便蓋回動ユニット、局部洗浄装置、脱臭装置などの各種機能装置および各種機能部品、これらの各種機能装置および各種機能部品を制御する制御部、これらの各種機能装置および各種機能部品に電源を供給する電源部などを示している。
【００１６】
ケース２２は、機能部２１の上下左右、幅方向の両側を覆っている。ケース２２の前側部分における幅方向の両側には、幅方向の互いに近接する方向にへこんだケース凹部２３Ａ，２３Ｂが形成されている。
２つのケース凹部２３Ａ，２３Ｂのうちの幅方向の一方側の第１ケース凹部２３Ａには、ケース２２から幅方向の一方側に突出する第１軸部２４が配置され、幅方向の他方側の第２ケース凹部２３Ｂには、ケース２２から幅方向の他方側に突出する第２軸部２５が配置されている。
第１軸部２４および第２軸部２５は、便座３および便蓋４が取り付けられるように構成されている。第１軸部２４および第２軸部２５が回動することにより便座３および便蓋４（図１参照）が回動するように構成されている。
【００１７】
ケース２２は、便器本体１２の上部に載置され上部に機能部２１が載置されるケース下板部２２１と、機能部２１の上部に配置されるケース上板部２２２と、機能部２１の前側に配置されるケース前板部２２３と、機能部２１の後側に配置されるケース後板部２２４（図１参照）と、機能部２１の幅方向の両側に配置される一対のケース側板部２２５と、を有している。
【００１８】
図２−４に示すように、ケース上板部２２２には、前側部分における幅方向の一方側に第１ケース凹部２３Ａに対応する第１切り欠き部２６が形成され、幅方向の他方側に第２ケース凹部２３Ｂに対応する第２切り欠き部２７が形成されている。
第１切り欠き部２６は、前側および幅方向の一方側に開口し、第２切り欠き部２７は、前側および幅方向の他方側に開口している。
ケース上板部２２２の第１切り欠き部２６を形成する縁部のうち、第１切り欠き部２６の幅方向の他方側に位置する部分を第１ケース縁部２６１、第１切り欠き部２６の後側に位置する部分を第２ケース縁部（便蓋支持部）２６２とする。第１ケース縁部２６１は、上方から見て前後方向に延びている。第２ケース縁部２６２は、上方から見て幅方向の一方側から他方に向かって漸次前側に向かって斜めに延びている。第２ケース縁部２６２の幅方向の一方側で後側に位置する端部を外側端部２６２ａとし、幅方向の他方側で前側に位置する端部を内側端部２６２ｂとする。
【００１９】
ケース上板部２２２の第２切り欠き部２７を形成する縁部のうち、第２切り欠き部２７の幅方向の位置方側に位置する部分を第３ケース縁部２７１、第２切り欠き部２７の後側に位置する部分を第４ケース縁部（便蓋支持部）２７２とする。第３ケース縁部２７１は、上方から見て前後方向に延びている。第４ケース縁部２７２は、上方から見て幅方向の他方側から位置方に向かって漸次前側に向かって斜めに延びている。第４ケース縁部２７２の幅方向の他方側で後側に位置する端部を外側端部２７２ａとし、幅方向の一方側で前側に位置する端部を内側端部２７２ｂとする。
【００２０】
一対のケース側板部２２５は、前側部分に第１ケース凹部２３Ａおよび第２ケース凹部２３Ｂに対応して屈曲したケース凹部側板部２２５ａをそれぞれ有している。第１ケース凹部２３Ａに対応するケース凹部側板部２２５ａは、ケース上板部２２２の第１ケース縁部２６１および第２ケース縁部２６２から下側に延びている。第２ケース凹部２３Ｂに対応するケース凹部側板部２２５ａは、ケース上板部２２２の第３ケース縁部２７１および第４ケース縁部２７２から下側に延びている。
【００２１】
図５に示すように、便蓋４は、便座３の上部を開閉する便蓋本体４１と、便蓋本体４１に取り付けられて第１軸部２４（図２参照）に係合する第１軸係合部４２と、便蓋本体４１に取り付けられて第２軸部２５（図２参照）に係合する第２軸係合部４３と、を有している。便蓋４は、第１軸部２４が第１軸係合部４２と係合し、第２軸部２５が第２軸係合部４３と係合することで、本体部２（図２参照）に係止されるように構成されている。
便蓋本体４１は、閉じた状態となると便座３（図１参照）の上部を覆う便蓋上板部４１１と、閉じた状態となると便座３の幅方向の側方および前方を覆う便蓋側板部４１２と、を有している。
便蓋上板部４１１は、便蓋４が閉じた状態となると便座３の着座部３１（使用者が着座する部分）の上部を追う開閉上板部４１３と、開閉上板部４１３の幅方向の一方側の端部近傍から後側に延びて第１軸係合部４２が取り付けられる第１取り付け上板部４１４と、開閉上板部４１３の幅方向の他方側の端部近傍から後側に延びて第２軸係合部４３が取り付けられる第２取り付け上板部４１５と、を有している。
【００２２】
開閉上板部４１３は、便蓋４が閉じた状態となると、本体部２よりも前に配置され、便蓋４が開いた状態となると本体部の上に配置される。
図６に示すように、開閉上板部４１３は、便蓋４が開いた状態において、幅方向の中央部がその両側よりも後側に位置するように湾曲している。
【００２３】
第１取り付け上板部４１４は、便蓋４が閉じた状態となると本体部２の第１ケース凹部２３Ａの上部に配置され、便蓋４が開いた状態となると第１ケース凹部２３Ａの内部に配置される。便蓋４が開いた状態における第１取り付け上板部４１４は、幅方向の一方側から他方側に向かって漸次後側に向かうように傾斜していて、ケース上板部２２２の第２ケース縁部２６２の前側に配置されている。
第１取り付け上板部４１４のうち、幅方向の一方側の端部を外側端部４１４ａとし、幅方向の他方側の端部を内側端部４１４ｂとする。平面視において第１取り付け上板部４１４の外側端部４１４ａは、第２ケース縁部２６２の外側端部２６２ａよりも幅方向一方側に突出した位置に配置され、第１取り付け上板部４１４の内側端部４１４ｂは、第２ケース縁部２６２の内側端部２６２ｂの前側に配置されている。
【００２４】
便蓋４が開いた状態となると、第１取り付け上板部４１４は、内側端部４１４ｂが第２ケース縁部２６２の内側端部２６２ｂと当接し、内側端部４１４ｂよりも外側端部４１４ａ側が第２ケース縁部２６２と離間して第２ケース縁部２６２との間に隙間が生じている。第２ケース縁部２６２の内側端部２６２ｂは、本発明の便蓋支持部に相当している。
便蓋４が開いた状態における第１取り付け上板部４１４と第２ケース縁部２６２との隙間は、内側端部４１４ｂ側（幅方向の他方側）から外側端部４１４ａ側（幅方向の一方側）に向かって漸次大きくなるように設計されている。
【００２５】
第２取り付け上板部４１５は、便蓋４が閉じた状態となると本体部２の第２ケース凹部２３Ｂの上部に配置され、便蓋４が開いた状態となると第２ケース凹部２３Ｂの内部に配置される。便蓋４が開いた状態における第２取り付け上板部４１５は、幅方向の他方側から位置方側に向かって漸次後側に向かうように傾斜していて、ケース上板部２２２の第４ケース縁部２７２の前側に配置されている。
第２取り付け上板部４１５のうち、幅方向の他方側の端部を外側端部４１５ａとし、幅方向の一方側の端部を内側端部４１５ｂとする。平面視において第２取り付け上板部４１５の外側端部４１５ａは、第４ケース縁部２７２の外側端部２７２ａよりも幅方向の他方側に突出した位置に配置され、第２取り付け上板部４１５の内側端部４１５ｂは、第４ケース縁部２７２の内側端部２７２ｂに近傍に配置されている。
【００２６】
便蓋４が開いた状態となると、第２取り付け上板部４１５は、内側端部４１５ｂが第４ケース縁部２７２の内側端部２７２ｂと当接し、内側端部４１５ｂよりも外側端部４１５ａ側が第４ケース縁部２７２と離間して第４ケース縁部２７２との間に隙間が生じている。第４ケース縁部２７２の外側端部２７２ａは、本発明の便蓋支持部に相当している。
便蓋４が開いた状態における第２取り付け上板部４１５と第４ケース縁部２７２との隙間は、内側端部４１５ｂ側（幅方向の一方側）から外側端部４１５ａ側（幅方向の他方側）に向かって漸次大きくなるように設計されている。
【００２７】
図５に示すように、便蓋側板部４１２は、便蓋４が閉じた状態において開閉上板部４１３の前縁部および側縁部から下側に延びる開閉側板部４１６と、便蓋４が閉じた状態において第１取り付け上板部４１４の幅方向の一方側の縁部から下側に延びる第１取り付け側板部４１７と、便蓋４が閉じた状態において第２取り付け上板部４１５の幅方向の他方側の縁部から下側に延びる第２取り付け側板部４１８と、を有している。
【００２８】
図７および図８に示すように、第１軸係合部４２は、第１取り付け上板部４１４と第１取り付け側板部４１７とがなす角部の内側に配置されている。第１軸係合部４２は、第１取り付け側板部４１７に固定される固定部５と、固定部５の幅方向の他方側に重なって配置され固定部５に対して回動可能に設けられる可動部６と、可動部６を所定の方向に付勢するばね部（付勢部）４２１と、を有している。
以下の第１軸係合部４２の説明では、便蓋４が開いた状態であるものとする。
【００２９】
図９および図１０に示すように、固定部５は、第１取り付け側板部４１７に沿って配置される第１固定部５１と、第１固定部５１の後側の縁部と連続し第１取り付け上板部４１４に沿って配置される平板状の第２固定部５２と、を有している。
第１固定部５１は、所定の厚さの部材で、厚さ方向が幅方向となる向きに配置されている。第１固定部５１は、幅方向から見て周縁部分５３の内側となる内側部分５４が、幅方向の他方側に突出していて周縁部分５３よりも厚く形成されている。
以下では、第１固定板部のうち、幅方向から見た周縁部分５３を薄板部５３とし、周縁部分５３の内側部分５４を厚板部５４とする。固定部５を幅方向から見ると、薄板部５３が厚板部５４の周り全体に配置されている。
【００３０】
第１固定部５１は、可動部６を回動可能に支持する回動軸部５５と、可動部６の回動をガイドするためのガイド孔部５６と、第１固定部５１を第１取り付け側板部４１７に固定するための固定具が挿通される第１固定孔部５７および第２固定孔部５８と、第１軸部２４（図３参照）を収容可能な第１軸部収容凹部（凹部）５９と、を有している。
【００３１】
回動軸部５５は、第１固定部５１の前方上部から幅方向の他方側に突出している。回動軸部５５は、薄板部５３からから幅方向の他方側に突出している。回動軸部５５の先端部は、厚板部５４の幅方向の他方側の面と幅方向の位置がほぼ同じ位置となっている。
ガイド孔部５６は、回動軸部５５の下側に位置し、厚板部５４に形成されている。ガイド孔部５６は、厚板部５４を幅方向に貫通している。ガイド孔部５６は、回動軸部５５と同軸となる円弧状に形成されている。
【００３２】
第１固定孔部５７は、ガイド孔部５６の上側に位置し、薄板部５３に形成されている。第１固定孔部５７は、薄板部５３を幅方向に貫通している。
第２固定孔部５８は、ガイド孔部５６の下側に位置し、厚板部５４に形成されている。第２固定孔部５８は、厚板部５４を幅方向に貫通している。
第１固定部５１は、第１固定孔部５７および第２固定孔部５８に挿通されたネジなどの固定具によって第１取り付け側板部４１７に固定されている。第１取り付け側板部４１７には、第１固定孔部５７および第２固定孔部５８に挿通されたネジなどの固定具が挿入される孔部が形成されている。
【００３３】
第１軸部収容凹部５９は、第２固定孔部５８の下側に位置し、厚板部５４の下縁部５４ａに形成されている。第１軸部収容凹部５９は、下側および幅方向の他方側に開口している。第１軸部収容凹部５９は、幅方向から見て上部側が上側に湾曲した半円状に形成されている。第１軸部収容凹部５９は、下側から第１軸部２４の先端部分を出し入れ可能で、内部に第１軸部２４を収容可能に構成されている。第１軸部収容凹部５９の上下方向の寸法は、第１軸部２４の外径とほぼ同じ寸法に設定されている。
第１軸部収容凹部５９は、回動軸部５５よりも下側かつ後側に配置されている。
【００３４】
図７、図８、図１１および図１２に示すように、可動部６は、板面が幅方向を向く板状に形成された第１可動板部６１と、板面が幅方向を向く板状に形成され第１可動板部６１よりも幅方向の一方に配置される第２可動板部６２と、第１可動板部６１と第２可動板部６２とを連結する連結板部６３と、第１可動板部６１の上縁部から幅方向の一方側に延びる可動上板部６４と、第１可動板部６１の前縁部から幅方向の外側に突出する可動側板部６５と、を有している。可動上板部６４の前縁部と可動側板部６５の上縁部とは連続している。
【００３５】
第１可動板部６１は、板面が幅方向よりも上下方向に長い形状に形成されている。第１可動板部６１には、第１可動板部６１の下縁部から上側に延びる第１可動板溝部６１１と、第１可動板溝部６１１の上側に連続して形成され下側に開口する第１可動板凹部６１２と、が形成されている。第１可動板溝部６１１と第１可動板凹部６１２とは、内部が連通していて、いずれも第１可動板部６１の下部側に形成されている。
【００３６】
第１可動板溝部６１１の前側の縁部（以下、前縁部６１１ａとする）は、第１可動板部６１の下縁部から上側に延びている。第１可動板溝部６１１の後側の縁部（以下、後縁部６１１ｂとする）は、第１可動板部６１の下縁部から上側に向かって漸次前側となる斜め方向に延びる下側後縁部６１１ｃと、下側後縁部６１１ｃの上端部から上側に延びる上側後縁部６１１ｄと、を有している。
【００３７】
第１可動板凹部６１２は、第１可動板溝部６１１の溝幅（前後方向の寸法）よりも前後方向に大きく形成され、第１可動板溝部６１１の前縁部６１１ａの上端部よりも前側に突出するとともに、第１可動板溝部６１１の後縁部６１１ｂ（上側後縁部６１１ｄ）の上端部よりも後側に突出するように配置されている。
第１可動板凹部６１２を形成する縁部は、第１可動板溝部６１１の前縁部６１１ａの上端部から前側に向かって漸次下側に向かう斜め方向に延びる第１縁部６１２ａと、第１縁部６１２ａの前側の端部から上側に延びてさらに後方に延びてさらに下側に延びるＵ字形状の第２縁部６１２ｂと、第２縁部６１２ｂの後側の下端部から前側に向かって漸次下側に向かう斜め方向に延びて第１可動板溝部６１１の後縁部６１１ｂの上端部と連続する第３縁部６１２ｃと、を有している。
第３縁部６１２ｃは、第１縁部６１２ａよりも前後方向に長く形成されている。
【００３８】
第２可動板部６２は、第１可動板部６１の第１可動板溝部６１１の幅方向の一方側に重なる位置に配置されている。第２可動板部６２は、その上縁部が第１可動板溝部６１１の上縁部と同じ高さに配置されている。
【００３９】
連結板部６３は、第１可動板部６１の第１可動板溝部６１１の前縁部６１１ａから第２可動板部６２まで幅方向の一方側に延びる第１連結板部６３１と、第１可動板部６１の第１可動板溝部６１１の下側後縁部６１１ｃから第２可動板部６２まで幅方向の一方側に延びる第２連結板部（当接部）６３２と、第１可動板部６１の第１可動板溝部６１１の上側後縁部６１１ｄから第２可動板部６２まで幅方向の一方側に延びる第３連結板部６３３と、第１可動板部６１の第１可動板凹部６１２の第１縁部６１２ａから第２可動板部６２まで幅方向の一方側に延びる第４連結板部６３４と、第１可動板部６１の第１可動板凹部６１２の第３縁部６１２ｃから第２可動板部６２まで幅方向の一方側に延びる第５連結板部６３５と、を有している。
【００４０】
第１連結板部６３１と、第４連結板部６３４とは、連続して設けられている。第２連結板部６３２と、第３連結板部６３３と、第５連結板部６３５とは、連続して設けられている。
第１連結板部６３１は、板面が前後方向を向く平板状に形成され、後側の面が第１可動板溝部６１１に面している。
第２連結板部６３２は、板面が下側から上側に向かって漸次前側に傾く傾斜面に形成され、前側かつ下側を向く面が第１可動板溝部６１１に面している。
第３連結板部６３３は、板面が前後方向を向く平板状に形成され、前側の面が第１可動板溝部６１１に面している。
可動部６において、第１連結板部６３１と、第２連結板部６３２および第３連結板部６３３と、の間で上下方向に延びる空間を可動溝部６６とする。
【００４１】
第４連結板部６３４は、板面が後側から前側に向かって漸次下側に向かう傾斜面に形成され、上側の面が第１可動板凹部６１２に面している。
第５連結板部６３５は、板面が後側から前側に向かって漸次下側に向かう傾斜面に形成され、上側の面が第１可動板凹部６１２に面している。
可動部６において、可動溝部６６、第４連結板部６３４および第５連結板部６３５よりも上側で幅方向から見て第１可動板凹部６１２の内側となる空間を可動凹部６７とする。
【００４２】
図１２に示すように、可動部６には、第１可動板部６１の幅方向の一方側の面から突出し固定部５の回動軸部５５が挿入される筒状の軸挿入筒部６８と、第１可動板部６１の幅方向の一方側の面から突出し固定部５のガイド孔部５６に挿入されるガイド部６９と、を有している。
軸挿入筒部６８は、同軸に挿入された回動軸部５５が軸線回りに回動可能な形状に形成されている。
ガイド部６９は、ガイド孔部５６よりも小さく形成され、可動部６が回動軸部５５の軸線回りに回動した際に、ガイド孔部５６の内部で移動可能な形状に形成されている。ガイド部６９には、ガイド孔部５６に挿入された際にガイド孔部５６の縁部と係合する爪部６９１が形成されている。爪部６９１は、弾性変形させることでガイド孔部５６の縁部に係合するように構成されている。
【００４３】
このような可動部６は、固定部５に対して幅方向の他方側から重なり、軸挿入筒部６８に固定部５の回動軸部５５が挿入され、ガイド部６９が固定部５のガイド孔部５６に挿入されるようにして固定部５に取り付けられている。可動部６の可動凹部６７は、固定部５の第１軸部収容凹部５９に幅方向の一方側から重なる位置に配置されている。可動凹部６７は、固定部５の第１軸部収容凹部５９よりも前後方向に大きく形成されている。
固定部５に取り付けられた可動部６は、固定部５に対して回動軸部５５を中心に回動可能に構成されている。
【００４４】
図７に示すように、回動軸部５５は、可動部６における前側上方に配置されている。このため、可動部６は、回動軸部５５回りに所定角度回動することで、回動軸部５５（軸挿入筒部６８）よりも下側の部分が前後方向に移動するように構成されている。
上述したように、可動凹部６７は、第１軸部収容凹部５９よりも前後方向に大きく形成されている。そして、可動凹部６７は、可動部６が回動した際に常に固定部５の第１軸部収容凹部５９と幅方向に重なるように構成されている。このため、第１軸部収容凹部５９は、可動部６が回動しても塞がれないように構成されている。
【００４５】
ばね部４２１は、可動部６をその回動軸部５５（軸挿入筒部６８）よりも下側の部分を前側に向かって付勢するように構成されている。ばね部４２１には、例えば、固定部５に支持された板ばねなどが用いられている。
可動部６は、前後方向にばね部４２１の付勢力以外の力が作用していない場合は、前側に位置し、前後方向にばね部４２１の付勢力以上の力が作用すると回動して後側に位置するように構成されている。
本実施形態では、可動部６の可動側板部６５に使用者が可動部６を押すための押圧部６５１が設けられていて、使用者が押圧部６５１を前側から後側に押すことで可動部６が回動して後側に移動するように構成されている。押圧部６５１には、例えばリブなどが設けられていて、使用者に対して押圧部６５１の位置をわかりやすくしたり、使用者が押圧部６５１を押しやすくしたりするようにしてもよい。
【００４６】
図７に示すように、可動部６が回動可能な範囲の前側に位置している状態では、可動凹部６７のうちの後側の領域に第１軸部収容凹部５９が配置され、第１軸部収容凹部５９の下側に第５連結板部６３５が配置されて、第５連結板部６３５によって第１軸部収容凹部５９の下側が塞がれている。
図１３に示すように、可動部６が回動可能な範囲の後側に位置している状態では、可動凹部６７のうちの前側の領域に第１軸部収容凹部５９が配置され、第１軸部収容凹部５９の下側に可動溝部６６が配置されて、第１軸部収容凹部５９の下側が開放されている。
図７に示すような可動部６が前側（可動方向の一方側）に位置し、第１軸部収容凹部５９の下側が第５連結板部６３５に塞がれた状態を係合状態とし、図１３に示すような可動部６が後側（可動方向の他方側）に位置し、第１軸部収容凹部５９の下側に可動溝部６６が配置された状態を非係合状態とする。
上述したばね部４２１は、可動部６を係合状態とする方向に付勢している。
【００４７】
図７に示すように、第１軸部２４が第１軸部収容凹部５９に収容された状態で、可動部６が係合状態となると、第１軸部２４の上下方向および前後方向の移動が拘束され、第１軸部２４と第１軸係合部４２とが係合した状態となる。
これに対し、図１４に示すように、第１軸部２４が第１軸部収容凹部５９に収容されていても、可動部６が非係合状態となると、第１軸部２４の上下方向の移動が許容され、第１軸部２４と第１軸係合部４２との係合が解除した状態となる。
なお、可動部６が非係合状態となると、第１軸部２４は、可動溝部６６を介して可動凹部６７と可動部６の下方とに移動することができ、可動凹部６７に出し入れできるように構成されている。
【００４８】
図１４に示すように、第２軸係合部４３は、第２軸部２５（図２参照）が収容される第２軸部収容凹部４３１が形成されている。第２軸部収容凹部４３１は、幅方向の一方側に開口していて、下側は塞がれている。第２軸部２５は、幅方向の他方側から第２軸部収容凹部４３１に挿入されるように構成されている。
【００４９】
次に、本体部２に係止されている便蓋４を本体部２から取り外す方法について説明する。
まず、図１に示すように、便蓋４を便座３から離間させて開いた状態とする。
便蓋４の第１軸係合部４２が設けられている下部側を前後からつかみ、第１軸係合部４２の可動部６の押圧部６５１を本体部２に向かって後側に押して、可動部６を係合状態から図１４に示すような非係合状態とする。このように、開いた状態の便蓋４が、本体部２に向かって押されることで、可動部６が係合状態から非係合状態に切り替えられる。
【００５０】
第１軸係合部４２が非係合状態となったら、押圧部６５１を押圧したまま第１軸係合部４２を第１軸部２４から離間させるように便蓋４の幅方向の一方側を上部に持ち上げ、第１軸部収容凹部５９を第１軸部２４から外す。このとき、第２軸部２５が第２軸係合部４３に挿入された状態であるため、便蓋４は鉛直方向上側には移動せず、幅方向の一方側（第１軸係合部４２がある側）が、幅方向の他方側（第２軸係合部４３がある側）よりも上側となる斜めの姿勢となる。
第１軸部２４が第１軸係合部４２から外れたら、便蓋４を幅方向の他方側に移動させて、第２軸部２５を第２軸係合部４３から外す。これにより、便蓋４が本体部２から取り外される。
【００５１】
次に、本体部２に便蓋４を取り付ける方法について説明する。
まず、便蓋４を開いた状態の姿勢としつつ、便蓋４の幅方向の他方側を幅方向の一方側よりも低い姿勢とし、第２軸係合部４３を第２軸部２５の幅方向の他方側にから一方側に移動させて第２軸部収容凹部４３１に第２軸部２５を挿入する。
【００５２】
続いて、第１軸部２４の上方に第１軸係合部４２を配置し、便蓋４を下側に移動させる。このとき、図１５に示すように、第１軸部２４を可動溝部６６に挿入させて、第１軸部２４を第２連結板部６３２に下側から当接させる。
第２連結板部６３２は、下側から上側に向かって漸次前側に向かう傾斜面に形成されているため、第２連結板部６３２に第１軸部２４が当接した状態で便蓋４をさらに下側に移動させると、第２連結板部６３２が第１軸部２４からの後側に向かう反力を受ける。これにより、図１６に示すように、可動部６が後側に回動し非係合状態となる。
【００５３】
可動部６が非係合状態となると、第１軸部２４が配置されている可動溝部６６の上方に第１軸部収容凹部５９が位置する。このため、便蓋４をさらに下側に移動させると、第１軸部２４は第２連結板部６３２から離間して、第１軸部収容凹部５９の内部に収容される。
第１軸部２４が第２連結板部６３２と離間して第１軸部収容凹部５９に収容されると、可動部６を後側に押す力がなくなる。これにより、図７に示すように、ばね部４２１の復元力によって可動部６が係合状態となって、第１軸部収容凹部５９に収容された第１軸部２４の下側に第５連結板部６３５が配置され、第１軸部２４が第１軸部収容凹部５９に収容された状態に拘束される。
このようにして、便蓋４が本体部２に取り付けられる。
なお、便蓋４を本体部２に取り付ける際に、第１軸部２４を第２連結板部６３２に当接させることで可動部６を非係合状態にしているが、使用者が可動部６の押圧部６５１を押圧して可動部６を非係合状態としてもよい。
【００５４】
本実施形態による便座装置１では、便座３に着座した使用者が開いた状態の便蓋４に対して背もたれのように前側から後側に向かってもたれた場合に、便蓋４が本体部２から外れるように構成されている。以下の説明では、便蓋４は開いた状態であるものとする。
図１８および図１９に、使用者がもたれていない場合の便蓋４を示す。図１８には、便蓋上板部４１１の周縁部（便蓋側板部４１２が接続されている部分）４１１ａを破線で示している。図２０および図２２についても図１８と同様に便蓋上板部４１１の周縁部（便蓋側板部４１２が接続されている部分）４１１ａを破線で示している。
【００５５】
上述しているが、第１取り付け上板部４１４は、ケース上板部２２２の第２ケース縁部２６２の前側に配置され、内側端部４１４ｂが第２ケース縁部２６２の内側端部２６２ｂと当接し、内側端部４１４ｂよりも外側端部４１４ａ側となる部分が第２ケース縁部２６２との間に隙間をあけるように離間している。
第１取り付け上板部４１４と第２ケース縁部２６２との隙間は、幅方向の他方側（内側端部４１４ｂ側）から一方側（外側端部４１４ａ側）に向かって漸次大きくなっている。
第１取り付け上板部４１４の外側端部４１４ａは、第２ケース縁部２６２の外側端部２６２ａよりも幅方向の一方側に突出している。
【００５６】
第２取り付け上板部４１５は、ケース上板部２２２の第４ケース縁部２７２の前側に配置され、内側端部４１５ｂが第４ケース縁部２７２の内側端部２７２ｂと当接し、内側端部４１５ｂよりも外側端部４１５ａ側となる部分が第４ケース縁部２７２との間に隙間をあけるように離間している。
第２取り付け上板部４１５と第４ケース縁部２７２との隙間は、幅方向の一方側（内側端部４１４ｂ側）から他方側（外側端部４１５ａ側）に向かって漸次大きくなっている。
第２取り付け上板部４１５の外側端部４１５ａは、第４ケース縁部２７２の外側端部２７２ａよりも幅方向の他方側に突出している。
【００５７】
便蓋４に使用者が前側から後側に向かってもたれると、図２０および図２１に示すように、便蓋４が後側に移動する。第１取り付け上板部４１４の内側端部４１４ｂが第２ケース縁部２６２と当接し、第２取り付け上板部４１５の内側端部４１５ｂが第４ケース縁部２７２と当接していることにより、便蓋４はその形状をたわませるようにして後側に移動する。
これにより、第１取り付け上板部４１４と第２ケース縁部２６２とが隙間なく当接し、第２取り付け上板部４１５と第４ケース縁部２７２とが隙間なく当接する。このとき、第１取り付け上板部４１４は、第２ケース縁部２６２に沿って外側端部４１４ａ側が内側端部４１４ｂ側よりも後側となり、第２取り付け上板部４１５は、第４ケース縁部２７２に沿って外側端部４１５ａ側が内側端部４１５ｂ側よりも後側となる。
また、便蓋４のケース上板部２２２よりも上側となる部分が後側に移動し、下側となる部分が前側に移動する。
【００５８】
さらに、便蓋４に使用者が前側から後側に向かってもたれると、図２２および図２３に示すように、便蓋４におけるケース上板部２２２よりも上側となる部分がさらに後側に移動する。
このとき、便蓋４におけるケース上板部２２２の高さとなる部分では、第１取り付け上板部４１４と第２ケース縁部２６２とが隙間なく当接し、第２取り付け上板部４１５と第４ケース縁部２７２とが隙間なく当接している。
【００５９】
ここで、上述したように、第１取り付け上板部４１４の外側端部４１４ａは、第２ケース縁部２６２の外側端部２６２ａよりも幅方向の一方側に突出し、第２取り付け上板部４１５の外側端部４１５ａは、第４ケース縁部２７２の外側端部２７２ａよりも幅方向の他方側に突出している。このため、第１取り付け上板部４１４の外側端部４１４ａの近傍および第１取り付け側板部４１７が第２ケース縁部２６２の後側に引っ張られるとともに、第２ケース縁部２６２の外側端部２６２ａの近傍および第２取り付け側板部４１８が第４ケース縁部２７２の後側に引っ張られる。これにより、便蓋４におけるケース上板部２２２の高さとなる部分では、幅方向の中央部よりも、幅方向の両端部が後側となるようにたわむことになる。
そして、幅方向の両端部の第１取り付け側板部４１７および第２取り付け側板部４１８が幅方向の外側に引っ張られることにより、第１取り付け側板部４１７に取り付けられた第１軸係合部４２が第１軸部２４から外れ、第２取り付け側板部４１８に取り付けられた第２軸係合部４３が第２軸部２５から外れて、便蓋４が本体部２から外れる。
【００６０】
また、第１取り付け上板部４１４は、第２ケース縁部２６２に沿って外側端部４１４ａ側が内側端部４１４ｂ側よりも後側となることにより、第１軸係合部４２が第１軸部２４よりも後側に移動する。これにより、可動部６の第３連結板部６３３が第１軸部２４対してずれた位置に移動し、第３連結板部６３３に第１軸部２４が前側から当接する。図１７に示すように、可動部６の第３連結板部６３３が前側から第１軸部２４が当接して押されることにより、可動部６が後側に押されて、非係合状態となる。可動部６が非係合状態となると、第１軸部収容凹部５９の下方が開放されるため、第１軸係合部４２が第１軸部２４から容易に外れる。
【００６１】
次に、上述した実施形態による便座装置の作用・効果について図面を用いて説明する。
上述した実施形態による便座装置１では、開いた状態の便蓋４に便座３に着座した使用者がもたれると、便蓋４の第１取り付け上板部４１４の内側端部４１４ｂが第２ケース縁部２６２の内側端部２６２ｂと当接して、第１取り付け上板部４１４の外側端部４１４ａが内側端部４１４ｂよりも後側に位置し、便蓋４の第２取り付け上板部４１５の内側端部４５４ｂが第４ケース縁部２７２の内側端部２７２ｂと当接して、第２取り付け上板部４１５の外側端部４１５ａが内側端部４１５ｂよりも後側に位置するように撓むことになる。
本実施形態では、便蓋が上記のように撓むと第１軸係合部４２が第１軸部２４から外れ、第２軸係合部４３が第２軸部２５から外れるため、便蓋４を本体部２から外れた状態とすることができる。このように、本実施形態では、使用者がもたれて便蓋４に負荷がかかっても便蓋４が壊れることを防止できる。また、便蓋４は撓むことで本体部２から外れるため、デザインや材料に左右されず、使用者がもたれた場合に本体部２から外れる構成とすることができる。
また、便蓋４は、幅方向の端部側が幅方向の中間部よりも後側に位置するように撓むことで第１軸係合部４２が第１軸部２４から外れるため、例えば、便蓋４をその面に沿って拭くなどの掃除をする場合には、便蓋４が上記のように撓むことがないため、便蓋４が本体部２から外れる虞がない。
【００６２】
また、第１軸係合部４２は、下側に開口し下側から第１軸部２４を出し入れするとともに第１軸部２４を収容可能な第１軸部収容凹部５９と、移動可能に構成され、前側に位置すると第１軸部収容凹部５９の下側を塞いで係合状態となり、後側に位置すると第１軸部収容凹部５９の下側を開口して非係合状態となる可動部６と、を有している。可動部６は、第１軸部収容凹部５９に収容された第１軸部２４が接触可能な第３連結板部６３３を有し、開いた状態の便蓋４の第１取り付け上板部４１４の内側端部４１４ｂが第２ケース縁部２６２の内側端部２６２ｂと当接し、第１取り付け上板部４１４の外側端部４１４ａが内側端部４１４ｂよりも後側に位置するように便蓋４が撓むと、第３連結板部６３３に前側から第１軸部２４が接触するように構成されている。
【００６３】
このように、開いた状態の便蓋４の第１取り付け上板部４１４の内側端部４１４ｂが第２ケース縁部２６２の内側端部２６２ｂと当接し、第１取り付け上板部４１４の外側端部４１４ａが内側端部４１４ｂよりも後側に位置するように便蓋４が撓むと、第３連結板部６３３に前側から第１軸部２４が当接することにより、可動部６が後側に押されて非係合状態となる。これにより、第１軸部収容凹部５９が開口されるため、第１軸部２４が第１軸部収容凹部５９から外れ、便蓋４を本体部２から外れた状態とすることができる。
【００６４】
また、本実施形態では、第１軸係合部４２は、第２ケース縁部２６２の内側端部２６２ｂよりも幅方向の外側に配置されていることにより、便蓋４における第１軸係合部４２が設けられている部分が確実に後側に位置するように便蓋４を撓ませることができる。これにより、便蓋４に使用者がもたれかかり上記のように便蓋４が撓んだ場合に、便蓋４が本体部２から外れやすい構造とすることができる。
【００６５】
以上、本発明による便座装置１の実施形態について説明したが、本発明は上記の実施形態に限定されるものではなく、その趣旨を逸脱しない範囲で適宜変更可能である。
例えば、上記の実施形態では、第１軸係合部４２は、非係合状態の姿勢から係合状態の姿勢となるように付勢するばね部４２１を有しているが、ばね部４２１を有しておらず、非係合状態の姿勢から係合状態の姿勢に手動で切り替える手段などが設けられていてもよい。また、第１軸係合部４２にばね部４２１のような付勢部が設けられている場合は、付勢部の形態は上記の以外の形態であってもよい。
【００６６】
また、上記の実施形態では、可動部６は、第１軸部収容凹部５９よりも下側に位置する第１軸部２４が下側から当接可能な第２連結板部６３２を有し、第２連結板部６３２は、下側から上側に向かって漸次後側から前側に向かう傾斜面に形成されて、便蓋４を本体部
２に取り付ける際に、第２連結板部６３２を上側から第１軸部２４に当接させながら自重によって便蓋４を下側に移動させているが、第１軸部２４が下側から当接する部位が設けられていなくてもよい。
【００６７】
また、上記の実施形態では、第１軸係合部４２の可動部６は、固定部５に対して回動して変位して係合状態と非係合状態とを切り替えるように構成されているが、前後方向や上下方向に変位して係合状態と非係合状態とを切り替えるように構成されていてもよい。
【００６８】
また、上記の実施形態では、開いた状態の便蓋４の第１取り付け上板部４１４の内側端部４１４ｂが第２ケース縁部２６２の内側端部２６２ｂと当接し、第１取り付け上板部４１４の外側端部４１４ａが内側端部４１４ｂよりも後側に位置するように便蓋４が撓むと、第３連結板部６３３に前側から第１軸部２４が当接することにより、可動部６が後側に押されて非係合状態となって便蓋４が本体部２から外れるように構成されている。これに対し、便蓋４が撓んだ際に本体部２から外れる構成は上記以外であってもよい。
また、開いた状態の便蓋４に便座３に着座した使用者がもたれた際に、便蓋４が本体部２と当接する部位の位置や形状は適宜設定されてよい。例えば、本体部２の幅方向の中央に前側に突出する突起部が設けられ、この突起部に便蓋４が当接して撓むように構成されていてもよい。
【符号の説明】
【００６９】
１  便座装置
２  本体部
３  便座
４  便蓋
６  可動部
１１  便器
２４  第１軸部（軸部）
４１  便蓋本体
４２，４２Ｂ  第１軸係合部（軸係合部）
５９  第１軸部収容凹部（凹部）
２６２  第２ケース縁部
２６２ａ  内側端部（便蓋支持部）
４１４  第１取り付け上板部
４１４ｂ  内側端部（幅方向の中間部）
６３３  第３連結板部（接触部）
【図１】
2019170460.tif 000003
【図２】
2019170460.tif 000004
【図３】
2019170460.tif 000005
【図４】
2019170460.tif 000006
【図５】
2019170460.tif 000007
【図６】
2019170460.tif 000008
【図７】
2019170460.tif 000009
【図８】
2019170460.tif 000010
【図９】
2019170460.tif 000011
【図１０】
2019170460.tif 000012
【図１１】
2019170460.tif 000013
【図１２】
2019170460.tif 000014
【図１３】
2019170460.tif 000015
【図１４】
2019170460.tif 000016
【図１５】
2019170460.tif 000017
【図１６】
2019170460.tif 000018
【図１７】
2019170460.tif 000019
【図１８】
2019170460.tif 000020
【図１９】
2019170460.tif 000021
【図２０】
2019170460.tif 000022
【図２１】
2019170460.tif 000023
【図２２】
2019170460.tif 000024
【図２３】
2019170460.tif 000025